(57)【要約】【課題】子供の興味を引きやすく、しかも子供に飽きられにくい遊具を提供する。【解決手段】天井部分と床部分を有する立体形状のフレームと、前記フレームの天井部分に配置される複数の天井ブロックと、前記フレームの床部分に配置される複数の床ブロックと、を備え、前記複数の天井ブロック及び前記複数の床ブロックのうち少なくともいずれか一方は、高さ寸法の異なる複数のブロックによって構成されている。【選択図】図１
2018102773.tif 000002
【特許請求の範囲】
【請求項１】
天井部分と床部分を有する立体形状のフレームと、
前記フレームの天井部分に配置される複数の天井ブロックと、
前記フレームの床部分に配置される複数の床ブロックと、を備え、
前記複数の天井ブロック及び前記複数の床ブロックのうち少なくともいずれか一方は、高さ寸法の異なる複数のブロックによって構成されている
ことを特徴とする遊具。
【請求項２】
前記複数のブロックの各々は、前記フレームの天井部分又は床部分に対して着脱可能に構成されている
ことを特徴とする請求項１に記載の遊具。
【請求項３】
前記フレームの側面部に配置されるネットを備える
ことを特徴とする請求項１又は２に記載の遊具。
【請求項４】
前記複数のブロックのうち少なくとも１つのブロックは他のブロックと形状が異なる
ことを特徴とする請求項１〜３のいずれか１項に記載の遊具。
【発明の詳細な説明】
【技術分野】
【０００１】
本発明は、遊具に関し、特にキッズルームなどに設置して使用する際に好適な遊具に関する。
【背景技術】
【０００２】
デパートやショッピングモール等の商業施設、あるいは病院などにはキッズルームが併設されることがある。キッズルームには、たとえば、フロアーマットやクッションを使った遊具が設置されている。この種の遊具としては、たとえば、特許文献１に記載されたものが知られている。
【０００３】
特許文献１に記載のものでは、複数のセグメントを構成するフロアーマットが平面的に並べられ、その周囲をサークルセグメントで取り囲んだ構造になっている。また、複数のセグメントの一部を汽車又は滑り台のような形状に形成している。
【先行技術文献】
【特許文献】
【０００４】
【特許文献１】特開２００４−２５４８９６号公報
【発明の概要】
【発明が解決しようとする課題】
【０００５】
しかしながら、上記特許文献１に記載のものでは、基本的にフロアーマットとサークルという単調な構造になっているため、子供の興味を引きにくく、すぐに飽きられてしまうという欠点があった。
【０００６】
本発明の目的は、子供の興味を引きやすく、しかも子供に飽きられにくい遊具を提供することにある。
【課題を解決するための手段】
【０００７】
（第１の態様）
本発明の第１の態様は、
天井部分と床部分を有する立体形状のフレームと、
前記フレームの天井部分に配置される複数の天井ブロックと、
前記フレームの床部分に配置される複数の床ブロックと、を備え、
前記複数の天井ブロック及び前記複数の床ブロックのうち少なくともいずれか一方は、高さ寸法の異なる複数のブロックによって構成されている
ことを特徴とする遊具である。
（第２の態様）
本発明の第２の態様は、
前記複数のブロックの各々は、前記フレームの天井部分又は床部分に対して着脱可能に構成されている
ことを特徴とする上記第１の態様に記載の遊具である。
（第３の態様）
本発明の第３の態様は、
前記フレームの側面部に配置されるネットを備える
ことを特徴とする上記第１又は第２の態様に記載の遊具である。
（第４の態様）
本発明の第４の態様は、
前記複数のブロックのうち少なくとも１つのブロックは他のブロックと形状が異なる
ことを特徴とする上記第１〜第３の態様のいずれか１つに記載の遊具である。
【発明の効果】
【０００８】
本発明によれば、子供の興味を引きやすく、しかも子供に飽きられにくい遊具を提供することができる。
【図面の簡単な説明】
【０００９】
【図１】本発明の実施形態に係る遊具を側面方向から見た場合の概略図である。
【図２】本発明の実施形態に係る遊具を正面方向から見た場合の概略図である。
【図３】フレームの構成を示す斜視図である。
【図４】天井ブロックと床ブロックの取付構造を示す概略断面図である。
【図５】遊具の第１設置例を示す図である。
【図６】遊具の第２設置例を示す図である。
【図７】遊具の第３設置例を示す図である。
【図８】遊具の一変形例を示す図である。
【発明を実施するための形態】
【００１０】
以下、本発明の実施形態について図面を参照しつつ詳細に説明する。
【００１１】
＜遊具の構成＞
まず、本発明の実施形態に係る遊具の構成について説明する。
図１は本発明の実施形態に係る遊具を側面方向から見た場合の概略図であり、図２はその遊具を正面方向から見た場合の概略図である。
図示した遊具１は、フレーム２と、複数の天井ブロック３（３ａ〜３ｅ）と、複数の床ブロック４（４ａ〜４ｄ）と、を備えた構成になっている。遊具１の正面には看板プレート５が配置されている。看板プレート５には入口６（図２）が設けられている。入口６は、子供が通り（くぐり）抜けられる大きさで開口している。遊具１の入口６の反対側には出口（不図示）が設けられている。フレーム２は、天井部分７と床部分８を有する立体形状に形成されている。複数の天井ブロック３は、フレーム２の天井部分５に配置され、複数の床ブロック４は、フレーム２の床部分６に配置されている。
【００１２】
（フレーム）
図３はフレームの構成を示す斜視図である。
フレーム２は、４つの第１パイプ１１と、４つの第２パイプ１２と、４つの第３パイプ１３と、これらのパイプを相互に連結する８つのジョイント部材１４と、を用いて構成されている。第１パイプ１１、第２パイプ１２及び第３パイプ１３の各パイプは、たとえば、金属製のパイプ（一般構造用炭素鋼鋼管からなる単管パイプ等）で構成することができる。また、ジョイント部材１４についても金属製（たとえば、亜鉛合金など）の部材で構成することができる。ジョイント部材１４は、３方を向いて開口する３つの接続口を有し、これら３つの接続口に第１パイプ１１、第２パイプ１２及び第３パイプ１３の各端部を挿入して固定することにより、それらのパイプが相互に連結されている。
【００１３】
４つの第１パイプ１１は、それぞれ垂直（縦向き）に配置されている。また、４つの第２パイプ１２と４つの第３パイプ１３は、それぞれ第１パイプ１１と直角をなすように水平（横向き）に配置されている。また、第２パイプ１２と第３パイプ１３は、水平面内で互いに直角をなすように配置されている。第１パイプ１１の長さは、第２パイプ１２の長さよりも短く、かつ第３パイプ１３の長さよりも長く設定されている。たとえば、第１パイプ１１の長さは１２０ｃｍ、第２パイプ１２の長さは３００ｃｍ、第３パイプ１３の長さは９０ｃｍに設定されている。
【００１４】
フレーム２は全体的に直方体に形成されている。さらに詳述すると、フレーム２の天井部分７は、互いに平行に配置された２つの第２パイプ１２と、互いに平行に配置された２つの第３パイプ１３とを、４つのジョイント部材１４で相互に連結することにより、平面視長方形に形成されている。これと同様に、フレーム２の床部分８は、互いに平行に配置された２つの第２パイプ１２と、互いに平行に配置された２つの第３パイプ１３とを、４つのジョイント部材１４で相互に連結することにより、平面視長方形に形成されている。
【００１５】
フレーム２の入口部分と出口部分は、それぞれ、互いに平行に配置された２つの第１パイプ１１と、互いに平行に配置された２つの第３パイプ１３とを、４つのジョイント部材１４で相互に連結することにより、第１パイプ１１を長辺、第３パイプ１３を短辺とする縦長の長方形に形成されている。フレーム２の側面部分は、互いに平行に配置された２つの第１パイプ１１と、互いに平行に配置された２つの第２パイプ１２とを、４つのジョイント部材１４で相互に連結することにより、第１パイプ１１と短辺、第２パイプ１２を長辺とする横長の長方形に形成されている。
【００１６】
フレーム２を構成するパイプ１１，１２，１３やジョイント部材１４は、図１及び図４に示すように、プロテクター１５によって表面が覆われている。プロテクター１５は、衝突による衝撃を和らげる緩衝作用（クッション効果）を奏するもので、たとえばスポンジによって構成されている。プロテクター１５は、少なくとも子供が接触する可能性のある箇所をすべて保護（被覆）するように、たとえば、パイプ１１，１２，１３やジョイント部材１４の表面にスポンジテープを巻き付けることで設けられている。なお、図１においては、プロテクター１５の表記を一部省略している。
【００１７】
（天井ブロック）
天井ブロック３は、フレーム２の天井部分７から下方に突出するように、フレーム２の天井部分７に取り付けられている。複数の天井ブロック３は、フレーム２の天井部分７に対して着脱可能に構成されると共に、第２パイプ１２の長さ方向に一列に並んで配置されている。また、第２パイプ１２の長さ方向で隣り合う２つの天井ブロック３の間には、照明用の空隙９（図１）が確保されている。空隙９は、キッズルームなどの天井に取り付けられた照明の光（以下、「照明光」という。）をフレーム２内に導入するためのものである。照明光は、フレーム２の側面部からもフレーム２内に導入可能である。このため、フレーム２の天井部分７の空隙９は、フレーム２の側面部から導入される照明光の光量（換言すると、フレーム２内の空間の明るさ）が十分でない場合などに、必要に応じて設けるようにしてもよい。
【００１８】
図４は天井ブロックと床ブロックの取付構造を示す概略断面図である。この図４は第２パイプ１２の長さ方向から見たときの断面を示している。
天井ブロック３は、ブロック取付板１６と、ブロック取付板１６に固定されたブロック本体１７と、を備えている。ブロック取付板１６は、フレーム２の天井部分７に天井ブロック３を取り付けるためのものである。ブロック取付板１６は、フレーム２の天井部分７を構成する２つの第２パイプ１２の間に架け渡して配置されている。ブロック本体１７は、フレーム２内で子供が通り抜ける空間を制限するものである。ブロック本体１７は、２つの第２パイプ１２の間に挿入して配置されている。ブロック本体１７は、たとえば、直方体をなすウレタン素材の表面を合成皮革で覆った構造とすることにより、適度な弾力性（柔軟性）を有している。フレーム２の天井部分７に天井ブロック３を取り付ける場合は、２つの第２パイプ１２の間にブロック本体１７を挿入するようにしてブロック取付板１６を２つの第２パイプ１２（実質的にはプロテクター１５）の上に乗せればよく、天井部分７から天井ブロック３を取り外す場合は、第２パイプ１２よりも上方に天井ブロック３を持ち上げるようにすればよい。
【００１９】
天井ブロック３の下方への突出寸法は、天井ブロック３の高さ寸法に対応している。ここで、天井ブロック３の高さ寸法を、ブロック取付板１６の厚さ寸法を除く、ブロック本体１７の高さ寸法を規定すると、天井ブロック３ａ，３ｃ，３ｄの高さ寸法は、他の天井ブロック３ｂ，３ｅの高さ寸法よりも大きく設定されている。具体例を挙げると、天井ブロック３ａ，３ｃ，３ｄの高さ寸法は５０ｃｍ、天井ブロック３ｂ，３ｅの高さ寸法は２５ｃｍに設定されている。
【００２０】
（床ブロック）
床ブロック４は、フレーム２の床部分８から上方に突出するように、フレーム２の床部分８に置かれている。複数の床ブロック４は、フレーム２の床部分８に対して着脱可能に構成されると共に、第２パイプ１２の長さ方向に一列に並んで配置されている。床ブロック４は、上記天井ブロック３のブロック本体１７との協働により、フレーム２内で子供が通り抜ける空間を制限するものである。また、複数の床ブロック４のうち、床ブロック４ｂと床ブロック４ｃの間には、複数（多数）のゴムボール又はプラスチックボールからなるボールプールエリア１８が設けられている。
【００２１】
床ブロック４の上方への突出寸法は、床ブロック４の高さ寸法に対応している。複数の床ブロック４のうち、床ブロック４ａ，４ｃの高さ寸法は、他の床ブロック４ｂ，４ｄの高さ寸法よりも小さく設定されている。具体例を挙げると、床ブロック４ａ，４ｃの高さ寸法は２５ｃｍ、床ブロック４ｂ，４ｄの高さ寸法は５０ｃｍに設定されている。
【００２２】
床ブロック４は、上記図４に示すように、フレーム２の床部分８を構成する２つの第２パイプ１２の間に挿入して配置されている。床ブロック４は、遊具１が設置される設置場所の床面に直接置いてもよいし、フレーム２の床部分８に図示しないマット（たとえば、発泡ポリエチレン製）を敷設し、このマットの上に置いてもよい。床ブロック４は、たとえば、直方体をなすウレタン素材の表面を合成皮革で覆った構造とすることにより、適度な弾力性（柔軟性）を有している。フレーム２の床部分８に床ブロック４を取り付ける場合は、２つの第２パイプ１２の間に床ブロック４を挿入するように床ブロック４を床面等に置けばよく、床部分８から床ブロック４を取り外す場合は、床面等から床ブロック４を持ち上げるようにすればよい。
【００２３】
（ネット）
フレーム２の側面部にはネット２１が配置されている。ネット２１は、フレーム２の両方の側面部に取り付けられている。ネット２１は、フレーム２の側面部を形成する２つの第１パイプ１１と２つの第２パイプ１２とによって囲まれる長方形の開口全体を覆うように取り付けられている。なお、図１ではネット２１の表記を一部省略している。
【００２４】
ネット２１は、フレーム２内の空間で遊ぶ子供がフレーム２の側面部から外側に転げ落ちないよう、適度な張力と強度をもってフレーム２の側面部に張られている。これにより、遊具１で遊ぶ子供の安全性を高めることができる。ネット２１の下側の部分は床ブロック４の端面部分と近接して対向しており、この対向部分に面ファスナー２２（図４）が介在している。面ファスナー２２は、互いに着脱可能な一対のテープ状部材からなるものである。面ファスナー２２を構成する一方のテープ状部材はネット２１に固定され、他方のテープ状部材は床ブロック４に固定されている。そして、一対のテープ状部材を互いに密着させることにより、ネット２１の下側の部分が床ブロック４の端面部分に係着されている。なお、面ファスナー２２の厚みに比べて、床ブロック４の端面部分とネット２１との間のスペースが広すぎる場合は、その間にスペーサ等を配置して対応すればよい。
【００２５】
＜遊具の設置方法及び使用方法＞
次に、本発明の実施形態に係る遊具の設置方法及び使用方法について説明する。
【００２６】
（設置方法）
遊具１を設置する場合は、その設置場所となる屋内の床面にフレーム２を置く。このとき、フレーム２はその構成部品（パイプ１１〜１３、ジョイント部材１４など）を設置場所に搬入し、そこで立体形状に組み立ててもよいし、予め立体形状に組み立ててから設置場所に搬入してもよい。設置場所ではフレーム２の一方の側面部を建物の壁につけて（寄せて）設置することにより、狭いスペースを利用して遊具１を設置することができる。
【００２７】
次に、フレーム２の天井部分７に複数の天井ブロック３（３ａ〜３ｅ）を取り付けると共に、フレーム２の床部分８に複数の床ブロック４（４ａ〜ｄ）を取り付ける。その際、天井ブロック３の表面や床ブロック４の表面に、それぞれ面ファスナー（不図示）を取り付けておき、互いに隣り合う天井ブロック３又は床ブロック４を面ファスナーで相互に固定してもよい。これにより、天井ブロック３や床ブロック４の不用意な位置ずれを抑制することができる。
【００２８】
次に、遊具１の入口部分に看板プレート５を取り付けると共に、フレーム２の両方の側面部にそれぞれネット２１を取り付ける。また、床ブロック４ｂと床ブロック４ｅの間に多数のボールを投入することにより、ボールプールエリア１８を形成する。ネット２１の取り付けは、たとえば、第１パイプ１１と第２パイプ１２に対してネット２１の各辺を図示しない結着具（紐、ベルト等）で固定することにより行うことができる。この場合、ネット２１は、フレーム２内の空間にいる者は取り外し困難か、あるいは実質的に取り外し不可とし、フレーム２の外側にいる者のみが取り外し可能な状態でフレーム２に固定することが望ましい。具体的には、たとえば結着具として紐を用いる場合は、紐の結び目をフレーム２の外側からカバー（不図示）で遮蔽し、そのカバーを取り外さないと紐を解けないように構成すればよい。これにより、フレーム２内で遊んでいる子供が興味本位にネット２１を取り外してしまうおそれがない。また、万一、フレーム２内で遊んでいる子供がケガをして動けなくなった場合は、フレーム２の外側にいる遊具１の管理者や保護者などがネット２１を取り外し、フレーム２の中から外に子供を助け出すことができる。
【００２９】
なお、天井ブロック３、床ブロック４、看板プレート５、ネット２１の取り付けは、上記以外の手順で行ってもよい。また、遊具１はすべての組み立てが完了した状態で設置場所に搬入してもよい。
【００３０】
（使用方法）
遊具１を使用する場合、子供は看板プレート５の入口６からフレーム２内の空間に入り込む。このとき、フレーム２の天井部分７に配置された複数の天井ブロック３はそれぞれ下方に突出し、フレーム２の床部分８に配置された複数の床ブロック４はそれぞれ上方に突出している。このため、フレーム２内の空間に入り込んだ子供の視界は、天井ブロック３と床ブロック４によって遮られる。また、複数の天井ブロック３は、高さ寸法の異なる複数のブロック（３ａ〜３ｅ）で構成され、複数の床ブロック４も、高さ寸法の異なる複数のブロック（４ａ〜４ｄ）で構成されている。このため、遊具１の入口６から出口に向かって起伏に富んだ通路（以下、「通り道」ともいう。）が形成される。また、フレーム２内の空間を通り抜ける子供は、複数の天井ブロック３との接触をできるだけ避けるように低い姿勢をとり、その姿勢を維持しながら複数の床ブロック４やボールプールエリア１８を順に乗り越えることになる。このため、遊具１を使った遊びを通して子供の運動能力（身体の柔軟性や体力など）を効果的に高めることができる。なお、遊具１の入口６とは反対側の出口には、ハッチバック式の扉を取り付けてもよい。ハッチバック式の扉は、遊具１の外側に向かって開き、内側には開かない構造とする。これにより、遊具１の出口側からの侵入を防ぐことができる。このため、遊具１の出口側からの侵入に起因した事故の発生を未然に防ぐことができる。
【００３１】
また、フレーム２の天井部分７に配置された複数の天井ブロック３（３ａ〜３ｅ）の位置を相互に入れ替えたり、あるいはフレーム２の床部分８に配置された複数の床ブロック４（４ａ〜４ｄ）の位置を相互に入れ替えたりすることにより、各々のブロックによってフレーム２に形成される通り道の起伏の状態を変化させることができる。つまり、遊具１の構成部品を取り替えなくても、通り道の起伏パターンを自在に変化させることができる。また、複数のブロックの並べ順や組み合わせを変えることにより、様々な起伏パターンをもつ通り道を自由に作り出すことができる。
【００３２】
また、フレーム２の両方の側面部にそれぞれネット２１を取り付けた場合は、ネット２１の存在によって視界や音がほとんど遮られない。このため、フレーム２内の空間にいる子供をフレーム２の外側からネット２１を通して見ることができる。したがって、遊具１の管理者や子供の保護者等は、フレーム２内で遊んでいる子供の様子をフレーム２の外側にいながらネット２１を通して目視で確認することができる。また、フレーム２の外側にいる管理者や保護者は、フレーム２内の空間にいる子供の声を聞いてその様子を観察したり、子供と会話したり、子供に口頭で注意を与えたりすることができる。
【００３３】
＜実施形態の効果＞
本発明の実施形態に係る遊具１においては、フレーム２の天井部分７に高さ寸法の異なる複数の天井ブロック３（３ａ〜３ｅ）を配置する共に、フレーム２の床部分８に高さ寸法の異なる複数の床ブロック４（４ａ〜４ｄ）を配置することにより、フレーム２内の空間に、起伏に富んだ通り道を形成することができる。これにより、子供の遊び心や好奇心を刺激し、子供の興味を引くことができる。したがって、子供の興味を引きやすく、しかも子供に飽きられにくい遊具１を実現することができる。
【００３４】
また、本実施形態においては、フレーム２の天井部分７に対して複数の天井ブロック３を着脱可能に構成すると共に、フレーム２の床部分８に対して複数の床ブロック４を着脱可能に構成している。これにより、複数の天井ブロック３の位置を相互に入れ替えたり、複数の床ブロック４の位置を相互に入れ替えたりすることにより、フレーム２内に形成される通り道の起伏の状態を変化させることができる。このため、仮に、ある１つの起伏パターンに子供が飽きたとしても、ブロック相互の入れ替えによって新たな起伏パターンを形成することにより、子供に新たな興味を起こさせることができる。また、いずれかの天井ブロック３又は床ブロック４に破れなどの破損が生じた場合は、破損したブロックだけを、破損のないブロック（たとえば、新品のブロックなど）と交換（入れ替え）するだけで済む。このため、メンテナンスの費用を安く抑えることができる。
【００３５】
また、本実施形態においては、フレーム２の側面部にネット２１を配置しているため、子供の不用意な飛び出しを抑制することができると共に、フレーム２内で遊ぶ子供の様子をフレーム２の外側から確認し、必要に応じて声掛けすることもできる。このため、子供の保護者は、フレーム２の外側から見守りながら子供を安心して遊ばせることができる。
【００３６】
また、本実施形態においては、図５に示すように、フレーム２の一方の側面部を建物の壁３０に寄せて遊具１を設置することにより、壁際の狭いスペースを利用して遊具１を設置することができる。このため、省スペース性に優れた遊具１を実現することができる。また、人通りに面するガラス張りのショールームなどで使用する場合は、ガラスの壁面にフレーム２の一方の側面部を寄せて遊具１を設置することにより、フレーム２内で遊ぶ子供の様子を歩行者から見えるようにし、ショールームに家族連れを呼び込むという効果も期待できる。このように、フレーム２の一方の側面部を建物の壁に寄せて遊具１を設置する場合は、それと反対側のフレーム２の側面部のみにネット２１を取り付けた構成を採用してもよい。
【００３７】
また、本実施形態においては、複数のパイプ１１，１２，１３とジョイント部材１４を用いてフレーム２を構成しているため、パイプ１１，１２，１３とジョイント部材１４を増設することにより、遊具１の入口から出口までの長さを延長することができる。また、遊具１全体をたとえば図６のように平面視Ｌ字形に形成したり、あるいは図７のように平面視略Ｕ字形（コ字形）に形成したりすることも可能である。このうち、図６の遊具１は、部屋のコーナーのスペースを利用して遊具１を設置することができる。また、部屋の中央部にベンチ３１やテーブル３２を設置するスペースを確保することができる。これにより、保護者はベンチ３１に座って休憩しながら、遊具１で遊ぶ子供の姿を見守ることができる。また、図７の遊具１のように上下２段階の構造にして一部を宙に浮かし、その浮いた部分の底面部に板又はネットを取り付けて通り抜け可能な構成にすれば、直線又はＬ字形の通り道よりも複雑な通り道の経路を作り出すことができる。このため、子供の興味をより一層高めることができる。
【００３８】
＜変形例等＞
本発明の技術的範囲は上述した実施形態に限定されるものではなく、発明の構成要件やその組み合わせによって得られる特定の効果を導き出せる範囲において、種々の変更や改良を加えた形態も含む。
【００３９】
たとえば、上記実施形態においては、複数の天井ブロック３が同じ形状を有しているが、これに限らず、少なくとも１つの天井ブロック３が他の天井ブロック３と異なる形状を有していてもよい。これと同様に、複数の床ブロック４のうち、少なくとも１つの床ブロック４が他の床ブロック４と異なる形状を有していてもよい。具体例を挙げると、たとえば図８に示すように、１つの床ブロック４ｔを側面視三角形に形成し、その床ブロック４ｔの斜面を滑り台のように利用して遊べるようにしてもよい。また、フレーム２の天井部分７に目隠し用のカーテン２３を取り付けて前方を見えづらくしてもよい。その場合、カーテン２３は、子供の通り抜けに支障が生じないよう、たとえば、複数の紐やテープによって構成してもよい。
【００４０】
また、上記実施形態においては、建物の壁に寄せて遊具１を設置する例を示したが、これに限らず、遊具１の設置場所は壁際に限らず、部屋の真ん中などに設置してもよい。
【００４１】
また、上記実施形態においては、複数の天井ブロック３及び複数の床ブロック４の両方を、それぞれ高さの異なる複数のブロックによって構成したが、これに限らず、複数の天井ブロック３についてのみ、又は、複数の床ブロック４についてのみ、高さ寸法の異なる複数のブロックによって構成してもよい。ただし、子供の興味をより強く引きつけるため、あるいは、通り道の起伏のバリエーションをより多く増やすためには、上記実施形態の構成を採用する方が好ましい。また、遊具１を使用する子供の対象年齢にあわせて天井ブロック３と床ブロック４の高さ寸法を変えてもよい。具体的には、子供の対象年齢が低い場合は、天井ブロック３の高さ寸法を相対的に大きくし、かつ床ブロック４の高さ寸法を相対的に小さくすることで、より低い位置に、より小さな起伏で通り道を形成してもよい。また、子供の対象年齢が高い場合は、天井ブロック３の高さ寸法を相対的に小さくし、かつ床ブロック４の高さ寸法を相対的に大きくすることで、より高い位置に、より大きな起伏で通り道を形成してもよい。また、フレーム２や天井ブロック３、床ブロック４の各寸法は、設置場所のスペーサや子供の対象年齢などに応じて任意に変更してもかまわない。
【００４２】
また、本発明に係る遊具を使って遊ぶ対象者は、主に幼児から小学生くらいまでの子供を想定しているが、これに限らず、中学生以上の子供が使用しても、また、子供の保護者（父、母等）などの大人が使用してもかまわない。
【００４３】
また、本発明の遊具は、屋内だけでなく、屋外にも設置可能である。
【００４４】
また、本発明の遊具は、上から暗幕などをかぶせることにより、避難訓練の道具としても利用することができる。その場合は、遊具の内部が暗幕に覆われて暗くなるため、その暗い状況のもとで子供が遊具を通り抜けることにより、仮想の瓦礫の中を上がったり下りたりという、避難訓練に適した運動の機会を子供に与えることができる。
【符号の説明】
【００４５】
１…遊具
２…フレーム
３…天井ブロック
４…床ブロック
７…天井部分
８…床部分
２１…ネット
【図１】
2018102773.tif 000003
【図２】
2018102773.tif 000004
【図３】
2018102773.tif 000005
【図４】
2018102773.tif 000006
【図５】
2018102773.tif 000007
【図６】
2018102773.tif 000008
【図７】
2018102773.tif 000009
【図８】
2018102773.tif 000010